(57)【要約】      （修正有）【課題】綴じ具への脱着が容易で、かつ用紙に対する位置ずれを起こしにくい撮像用シートを提供すること【解決手段】用紙３３に記載された図表を撮像する際に前記用紙３３に重ねて配置される撮像用シートにおいて、矩形状に形成された透明なシート体１０ａの一辺の両端に、Ｌ字型に屈曲して延びた一対の突出部１３、１４をそれぞれ設けるとともに、一方の突出部１４の長さを他方の突出部１３の長さよりも長くしてノート３０などの綴じ具３１への脱着を容易にしつつ、用紙３３に対する位置ずれを防いだ。【選択図】図３
0003184680.tif 000002
【実用新案登録請求の範囲】
【請求項１】
シート体と、
前記シート体の一辺の両端部からそれぞれ突出し、Ｌ字型に屈曲して前記シート体の一辺の中央に向かってそれぞれ延びた一対の突出部と、
を備え、
一方の前記突出部の前記中央に向かう方向の長さが、他方の前記突出部の前記中央に向かう方向の長さよりも長いことを特徴とする撮像用シート。
【請求項２】
前記一方の突出部は、取り付ける対象となる複数のリングを備えた綴じ具の端から２以上のリングに係合する長さに形成され、前記他方の突出部は前記綴じ具の端の１つのリングに係合する長さに形成されていることを特徴とする請求項１に記載の撮像用シート。
【請求項３】
前記一方の突出部の先端には、前記綴じ具のリングからの離脱を阻止するフック部が設けられていることを特徴とする請求項２に記載の撮像用シート。
【請求項４】
前記一対の突出部が設けられていない前記シート体の辺には、前記シート体から舌状にせり出した見出部が形成されていることを特徴とする請求項１乃至請求項３の何れか１項に記載の撮像用シート。
【請求項５】
前記シート体及び突出部は透明な材料によって一体的に形成されてなることを特徴とする請求項１乃至請求項４の何れか１項に記載の撮像用シート。
【請求項６】
前記シート体の四隅には、画像の取り込みの際の基準となる位置決めマークが設けられていることを特徴とする請求項１乃至請求項５の何れか１項に記載の撮像用シート。
【考案の詳細な説明】
【技術分野】
【０００１】
本考案は、ノートや手帳に挟んで使用する撮像用シートに関する。
【背景技術】
【０００２】
近年、スマートフォンや携帯情報端末等のカメラ付き電子機器を利用して、ノートや手帳の手書きメモ等を画像として取り込むアプリケーションソフトウェアが無料で提供されるようになっている。
【０００３】
このようなアプリケーションソフトウェアを用いると、ノートや手帳の紙面に予め印刷されてある位置決めマークを基準にして、取り込んだ画像のトリミング、位置決め、サイズ調整を自動的に行うことができる。そのため、ユーザは煩雑な作業を行うことなく、メモ等の画像を電子機器に取り込んで利用できる。
【０００４】
また、位置決めマークが予め印刷されていない用紙に記入されたメモを取り込むために、所定位置に位置決めマークが配置された透明な撮像用シートを用紙に重ねて撮像する方法も提案されている。
【先行技術文献】
【特許文献】
【０００５】
【特許文献１】実開平６−１２０６５号公報
【特許文献２】意匠登録第１４５３６６１号公報
【考案の概要】
【考案が解決しようとする課題】
【０００６】
しかし、用紙とは別に撮像用シートを用意する場合には、ノートや手帳の用紙の間に挟んでおくと、運搬中に外れて紛失するおそれがある。また、撮像用シートが用紙に対してずれやすいため、取り込んだ画像がずれたり傾いたりするおそれがある。
【０００７】
一方、撮像用シートの紛失を防止するために、用紙と同様な方法でノートや手帳の綴じ具に綴じ込んでしまうと、撮像用シートの取り外しが煩雑になってしまう。
【０００８】
そこで、綴じ具への脱着が容易で、かつ用紙に対する位置ずれを起こしにくい撮像用シートを提供することを目的とする。
【課題を解決するための手段】
【０００９】
下記開示の一観点によれば、矩形状に形成されたシート体と、前記シート体の一辺の両端部からそれぞれ突出し、Ｌ字型に屈曲して前記シート体の一辺の中央に向かってそれぞれ延びた一対の突出部と、を備え、一方の前記突出部の前記中央に向かう方向の長さが、他方の前記突出部の前記中央に向かう方向の長さよりも長いことを特徴とする撮像用シートが提供される。
【考案の効果】
【００１０】
上記観点の撮像用シートによれば、一方の突出部が他方の突出部の長さより長く形成されているため、綴じ具の複数のリングと係合することで、用紙に対する傾きや位置ずれを防止でき、ノートや手帳に挟んで使用しても脱落しにくい。
【００１１】
また、他方の突出部が短く形成されているので、綴じ具のリングに対する脱着を簡単に行える。
【図面の簡単な説明】
【００１２】
【図１】図１（ａ）及び図１（ｂ）は、カメラ付き電子機器による画像の取り込み例を示す図である。
【図２】図２は、実施形態に係る撮像用シートの平面図である。
【図３】図３は、実施形態に係る撮像用シートを綴じ具に取り付けた状態を示す平面図である。
【図４】図４は、実施形態の変形例１に係る撮像用シートの平面図である。
【図５】図５（ａ）、（ｂ）は、実施形態の変形例２に係る撮像用シートの平面図である。
【考案を実施するための形態】
【００１３】
図１（ａ）は、カメラ付き電子機器による画像の取り込み例を示す図であり、図１（ｂ）は、撮像用シートの位置がずれている場合の画像の取り込み例を示す図である。
【００１４】
カメラ付き電子機器でノートや手帳等の画像を取り込む場合には、カメラの視野内に不要な部分が映り込む場合がある。また、カメラが取り込みたい紙面の正面に位置していない場合には、例えば図１（ａ）の左側の図に示すような画像の歪みが生じる。
【００１５】
そこで、図１（ａ）に示すように、四隅に位置決めマーク９１が予め印刷されたノートや手帳の用紙９０を用い、位置決めマーク９１に囲まれた取込領域９２内の画像を自動的に取り込む画像取り込み用のアプリケーションソフトウェアが提供されている。
【００１６】
このような画像取り込み用のアプリケーションソフトウェアを使用すれば、図１（ａ）の左側の図に示すように位置決めマーク９１に囲まれた取込領域９２の外の画像を除去、及び取込領域９２内の画像の整形を自動的に行える。そして、図１（ａ）の右側の図に示すように、取込領域９２の画像の歪みや傾きが取り除かれ、一定の大きさに整形された画像９０ａとして電子機器に取り込むことができる。
【００１７】
一方、位置決めマーク９１が印刷されていない用紙に記載された手書きメモ等を取り込む場合には、図１（ｂ）に示すように、四隅に位置決めマーク８１が印刷された撮像用シート８０を用紙９０に重ねて撮像を行う方法が提案されている。
【００１８】
しかし、図１（ｂ）の左側の図に示すように、撮像用シート８０は用紙９０に対して固定されないため、用紙９０に対する撮像用シート８０の位置がずれたり傾いたりする場合がある。このような場合には、図１（ｂ）の右側の図に示すように用紙９０に記載されているメモ等の文字列９３、９３ａが途切れたり傾いたりしてしまい、画像の取り込みに失敗するおそれがある。
【００１９】
また、図示の撮像用シート８０は、ノートや手帳に挟んで運搬している際に、ノートや手帳などから外れて紛失するおそれもある。
【００２０】
撮像用シート８０の位置ずれや紛失を防ぐために、用紙９０と同様の穴を開けてノートや手帳の綴じ具に綴じ込むことが考えられる。
【００２１】
しかし、撮像用シート８０をノートや手帳の綴じ具に綴じ込むと、撮像用シート８０を取り外すために綴じ具の開閉操作が必要となり、画像の取り込みを行いたい用紙９０の上に撮像用シート８０を配置するまでの作業が煩雑となる。
【００２２】
以下、添付の図面を参照して実施形態について説明する。
【００２３】
（実施形態）
図２は実施形態に係る撮像用シートの平面図である。
【００２４】
図２に示すように、実施形態に係る撮像用シート１０は、矩形状のシート体１０ａを備え、そのシート体１０ａの左側の一辺には、一対の突出部１３、１４（係合部）が設けられている。このうち、突出部１３はシート体１０ａの下端側に設けられており、Ｌ字型に屈曲してその先端が上端側に向かって伸びている。突出部１４はシート体１０ａの上端側に設けられており、Ｌ字型に屈曲してその先端が下端側に向かって伸びている。突出部１４の先端には突出部１４とシート体１０ａとのスペース１４ａに向かってせり出したフック部１４ｂが形成されている。
【００２５】
撮像用シート１０は、上記の突出部１３、１４を、ノートや手帳等の綴じ具に差し込むことで、綴じ具の操作を行うことなく綴じ具に取り付けることができる。
【００２６】
また、シート体１０ａの上側の辺にはシート体１０ａから舌状にせり出した見出部１２が形成されている。このように、見出部１２を設けることで、ノートや手帳等に挟み込まれた撮像用シート１０を容易に探すことができる。
【００２７】
なお、シート体１０ａ、突出部１３、１４及び見出部１２は、透明な樹脂シートによって一体的に形成されている。
【００２８】
さらに、シート体１０ａの四隅には、位置決めマーク１１が形成されている。この位置決めマーク１１は、対応するアプリケーションソフトウェアに応じて決まった形状となっている。スマートフォン等の携帯電話機用のアプリケーションソフトウェアは、例えばエレコム株式会社のホームページから入手できる。
【００２９】
図３は、図２の撮像用シート１０を、ノートの綴じ具に取り付けた状態を示す図である。なお、図３の部分拡大図は、突出部１３、１４と綴じ具のリングとの位置関係を、紙面に平行な面で切断した断面図により表している。
【００３０】
図３に示すノート３０は、複数のリング３２を備えたリング式の綴じ具３１によって用紙３３を綴じている。撮像用シート１０は、このノート３０に例えば付属品として添付されるものであり、シート体１０ａは用紙３３と略同じ大きさに形成されている。
【００３１】
上側の部分拡大図に示すように、撮像用シート１０の上端側の突出部１４は２つのリング３２を横切る長さに形成されており、その突出部１４とシート体１０ａとの間のスペース１４ａの部分に２つのリング３２を挟み込むことで、綴じ具３１に係合する。このように、突出部１４が複数のリング３２を挟むことで、シート体１０ａの回転方向の変位を規制でき、用紙３３に対する撮像用シート１０の傾きを抑制できる。
【００３２】
さらに、突出部１４の先端のフック部１４ｂによって、リング３２からの突出部１４の離脱を防止でき、撮像用シート１０の上下方向の移動を規制できる。これにより、撮像用シート１０の上下方向の位置ずれを防止できる。
【００３３】
なお、図示の突出部１４は、２つのリング３２と係合する長さに形成されているが、実施形態はこれに限定されるものではなく、突出部１４を２以上の複数のリング３２と係合する長さとしても良い。
【００３４】
一方、下側の部分拡大図に示すように、撮像用シート１０の下端側に設けられた突出部１３は、突出部１４よりも短く形成されており、その先端部は円弧状に形成されている。このように突出部１３の先端を円弧状に形成することで、突出部１３とリング３２とが引っかかりにくくなり、突出部１３のリング３２への脱着を円滑に行うことができる。
【００３５】
特に限定されないが、図示のように突出部１３の長さを１本のリングと係合する程度の長さとすると、突出部１３の脱着が容易になり好適である。
【００３６】
上記の撮像用シート１０をノート３０に取り付ける場合には、まず突出部１４の部分を弾性変形させながら綴じ具３１のリング３２に挿入した後、突出部１３を綴じ具３１に挿入すればよい。これにより、綴じ具３１の上下両端から突出部１３及び１４が係合し、撮像用シート１０の脱落を防ぐことができる。
【００３７】
また、撮像用シート１０をノート３０から取り外す場合には、突出部１３を綴じ具３１のリング３２から外した後、突出部１４を弾性変形させながら綴じ具３１のリング３２から外せばよい。上記のように、撮像用シート１０は、短い突出部１３を備えているので、綴じ具３１から容易に外すことができ、画像の取り込みを行いたい用紙３３の上への撮像用シート１０の配置を素早く行うことができる。
【００３８】
また、複数のリング３２と係合する長さに形成された突出部１４を備えることにより、撮像用シート１０の傾きや位置ずれを防ぐことができる。これにより、カメラ付きの携帯電子機器による画像の取り込みの失敗を防止できる。
【００３９】
次に、実施形態に係る撮像用シート１０の変形例について説明する。
【００４０】
（変形例１）
図４は、実施形態の変形例１に係る撮像用シートの平面図である。
【００４１】
本変形例に係る撮像用シート１５は、見出し部１２の位置が図２に示す撮像用シート１０と異なっている。撮像用シート１５の、それ以外の構成は図２に示す撮像用シート１０と同様である。
【００４２】
見出し部１２の位置は、図４の例に限定されるものではなく、シート体１０ａの上端の辺の任意の位置に設けてもよく、シート体１０ａの側部の任意の位置に設けてもよい。
【００４３】
本変形例のように、様々な位置に見出し部１２が形成された撮像用シート１５を用意しておくことで、撮像用シート１５を画像取り込みだけでなく、ノートの見出しとしても使用できる。
【００４４】
（変形例２）
図５（ａ）は、実施形態の変形例２に係る撮像用シートの平面図であり、図５（ｂ）は図５（ａ）の撮像用シートを綴じ具に取り付けた状態を示す平面図である。
【００４５】
図５（ａ）に示すように、本変形例に係る撮像用シート１７は、矩形状のシート体１０ａの上部の短い方の辺に突出部１３、１４が形成されるとともに、見出し部がない点で、図２の撮像用シート１０と異なる。撮像用シート１７のそれ以外の構成は、図２の撮像用シート１０と同様である。
【００４６】
図５（ｂ）に示すように、撮像用シート１７は、メモ帳４０の綴じ具４１に突出部１３、１４を挿入して取り付けて用いる。
【００４７】
本変形例においても、突出部１４の方が突出部１３よりも長く形成されており、突出部１４は複数のリング４２と係合する長さに形成されているため、撮像用シート１７を容易に取り付けることができるとともに、位置ずれや脱落を防止できる。
【符号の説明】
【００４８】
１０、１５、１７、８０…撮像用シート、１１、８１、８１ａ、９１、９１ａ…位置決めマーク、１２…見出し部、１３、１４…突出部、１４ａ…スペース、１４ｂ…フック部、３０…ノート、３１、４１…綴じ具、３２、４２…リング、３３、４３、９０…用紙、４０…メモ帳、８２、８２ａ、９２、９２ａ…取込領域、９３…文字列、９０ａ…取り込み画像。
【図１】
0003184680.tif 000003
【図２】
0003184680.tif 000004
【図３】
0003184680.tif 000005
【図４】
0003184680.tif 000006
【図５】
0003184680.tif 000007